(57)【要約】【課題】二重構造で蛇腹状の記帳部が効率よく製作でき、きれいに折り畳むことができる筆記帳を提供する。【解決手段】表表紙１と裏表紙２の間の記帳部３を形成する２枚の帯状の筆記用紙４ａ、４ｂが、それぞれ長手方向に直交する方向の折目が所定間隔で生じるように蛇腹状に折り曲げられ、その筆記面を外側にして重ね合わされた状態で、幅方向端部どうしを天糊５により接着されている構成とすることにより、筆記用紙４ａ、４ｂの折り曲げおよび重ね合わせが機械的に行われ、従来の手作業よりも効率よく製作できるうえ、製作時に蛇腹状に折り曲げられて重ね合わされた各筆記用紙４ａ、４ｂが折り畳み方向に圧縮された状態で天糊加工を受けて乾燥するまで保持され、製品となって開かれたときに圧縮時の形態に戻ろうとする力が生じて、きれいに折り畳めるものとした。【選択図】図１
2019111679.tif 000002
【特許請求の範囲】
【請求項１】
２枚の帯状の筆記用紙が、それぞれ長手方向に直交する方向の折目が所定間隔で生じるように蛇腹状に折り曲げられ、その筆記面を外側にして重ね合わされた状態で、幅方向端部どうしを天糊により接着されてなる記帳部を備えた筆記帳。
【請求項２】
前記２枚の帯状の筆記用紙は、前記筆記面となる表面の幅方向端部に撥水層またはインキ層が形成されていることを特徴とする請求項１に記載の筆記帳。
【請求項３】
前記２枚の帯状の筆記用紙は、前記折目の位置にミシン目が設けられていることを特徴とする請求項１または２に記載の筆記帳。
【請求項４】
前記２枚の帯状の筆記用紙は、前記筆記面となる表面が裏面よりも平滑性に優れる和紙であることを特徴とする請求項１乃至３のいずれかに記載の筆記帳。
【請求項５】
前記記帳部が水性の液体で筆記されるものであり、前記２枚の帯状の筆記用紙は、少なくとも一方の筆記用紙の裏面に撥水層またはインキ層が形成されていることを特徴とする請求項１乃至４のいずれかに記載の筆記帳。
【発明の詳細な説明】
【技術分野】
【０００１】
本発明は、蛇腹状の記帳部を有する朱印帳等の筆記帳に関する。
【背景技術】
【０００２】
朱印帳（「御朱印帳」とも呼ばれる。）は、神社や寺院への参拝者が参拝の証としての朱印を筆記してもらうものであり、その表表紙と裏表紙の間に筆記用紙からなる記帳部を備えている。その記帳部は、重ねた筆記用紙の一辺を綴じたものとすることもできるが、その場合は朱印の筆記がしにくいうえ筆記された朱印を少しずつしか見られないので、蛇腹状に（所定間隔で山折りと谷折りが繰り返すように）折り曲げることにより、朱印の筆記がしやすく同時に多数の朱印を見られるようにしたものが多い。
【０００３】
また、朱印帳の記帳部を形成する筆記用紙は、通常、墨筆での筆記に適した和紙が用いられ、その両面のうちで平滑性に優れる方の面（表面）が筆記面とされるが、表面に筆記した朱印の墨や朱墨が染み出してくる裏面は筆記用とならない。このため、一般的な朱印帳は、和紙からなる筆記用紙２枚をそれぞれの裏面どうしが対向する状態で重ねて貼り合せたもの（以下、この構造を「二重構造」と称する。）を蛇腹状に形成して記帳部とすることにより、記帳部の表裏両側から筆記できるようにしている。
【０００４】
上記のような朱印帳の蛇腹状の記帳部は、従来、手作業で製作を行っていた。具体的には、まず、シート状の専用和紙を切断して所定寸法の長方形の筆記用紙を必要枚数作成する。次に、各筆記用紙を、その筆記面となる表面を内側にして２つの短辺が重なるように折り曲げ、その折曲位置が交互に入れ替わるように積み重ねる。そして、積み重ねた筆記用紙どうしの対向面（それぞれの裏面）に、その一方の筆記用紙の折目に沿って所定幅で糊を塗り、各筆記用紙を積み重ね方向に押え付けた状態で糊を乾燥させて接着する。最後に、各筆記用紙の折目方向の両端部を切断して所定寸法に仕上げる。これにより、二重構造で蛇腹状の記帳部ができあがる。
【０００５】
しかし、この手作業による記帳部の製作は、糊を塗る工程で熟練の技能を必要とするうえ、全体として多くの作業時間を費やすことになり、朱印帳の製造コストを引き上げる一因となっていた。
【０００６】
一方、近年では、記帳部の製作方法として、その筆記用紙を従来のシート状の和紙から一般に巻き取り和紙と呼ばれる長尺の帯状の和紙に代え、その帯状の筆記用紙２枚を蛇腹状に折り曲げた後、その裏面どうしが対向し、かつ一方の山折りの位置と他方の谷折りの位置が一致するように重ね合わせ、裏面どうしを折目に沿う接合部で接着する方法が採られることもある（例えば、特許文献１参照。）。
【０００７】
この巻き取り和紙を筆記用紙として用いる方法を採用すれば、シート状の専用和紙を所定の大きさに切断する工程を省略することができるうえ、筆記用紙の折り曲げ工程、重ね合わせ工程および接着工程を機械化することにより、従来の手作業のような熟練の技能が不要となるので、従来よりも記帳部の製作時間を短縮して、朱印帳の製造コストの低減を図ることができる。
【先行技術文献】
【特許文献】
【０００８】
【特許文献１】実用新案登録第３２０５７９１号公報（図１）
【発明の概要】
【発明が解決しようとする課題】
【０００９】
ところが、上記のように帯状の筆記用紙によって二重構造で蛇腹状の記帳部を形成した朱印帳等の筆記帳では、その記帳部の製作過程で、折り曲げ加工された筆記用紙が元の状態に戻ろうとして部分的に湾曲し、その状態で重ね合わされて貼り合わされるので、製品となったときに記帳部が長手方向に広がって折り畳みにくくなり、見栄えの良くないものとなるおそれがある。
【００１０】
特に、朱印帳のように記帳部の筆記用紙として巻き取り和紙を用いる場合、その巻き取り和紙は、通常、長手方向に繊維が延びる状態で抄造されており（この繊維の方向を「紙目」という。）、その紙目と直交する方向に折目がつくように折り曲げられることになるので、折り曲げ加工後に元の状態に戻ろうとする力が強く、記帳部が折り畳みにくくなりやすい。
【００１１】
そこで、本発明は、二重構造で蛇腹状の記帳部が効率よく製作でき、きれいに折り畳むことができる筆記帳を提供することを課題とする。
【課題を解決するための手段】
【００１２】
上記の課題を解決するために、本発明の筆記帳は、２枚の帯状の筆記用紙が、それぞれ長手方向に直交する方向の折目が所定間隔で生じるように蛇腹状に折り曲げられ、その筆記面を外側にして重ね合わされた状態で、幅方向端部どうしを天糊により接着されてなる記帳部を備えた構成を採用した。
【００１３】
上記の構成によれば、二重構造で蛇腹状の記帳部は、２枚の帯状の筆記用紙の折り曲げおよび重ね合わせを機械的に行う製作方法を採ることにより、従来の手作業よりも効率よく製作できるうえ、製作時には、蛇腹状に折り曲げられて重ね合わされた各筆記用紙が、折り畳み方向に圧縮された状態で天糊加工を受けて乾燥するまで保持されることになるので、製品となって開かれたときには圧縮時の形態に戻ろうとする力が生じて、きれいに折り畳めるものとなる。
【００１４】
ここで、前記２枚の帯状の筆記用紙を、前記筆記面となる表面の幅方向端部に撥水層またはインキ層が形成されているものとすれば、記帳部製作時の天糊加工の際に、各筆記用紙の幅方向端面に塗布された天糊が各筆記用紙の表面側へある程度入り込んだとしても、天糊の筆記用紙自体の表面への浸透は撥水層またはインキ層によって阻止されるので、天糊加工後に各筆記用紙の互いに対向する表面どうしをスムーズに引き剥がすことができるようになる。
【００１５】
また、前記２枚の帯状の筆記用紙を、前記折目の位置にミシン目が設けられているものとすれば、記帳部製作時に各筆記用紙の折り曲げ加工後の形状復元を効果的に抑えることができるので、より確実に記帳部をきれいに折り畳めるようになる。
【００１６】
そして、本発明は、前記２枚の帯状の筆記用紙が、前記筆記面となる表面が裏面よりも平滑性に優れる和紙である場合に、特に効果的に適用することができる。
【００１７】
また、前記記帳部が水性の液体で筆記されるものである場合、前記２枚の帯状の筆記用紙は、少なくとも一方の筆記用紙の裏面に撥水層またはインキ層が形成されている構成とすることが望ましい。このようにすれば、記帳部に墨等の水性の液体で筆記する際に、筆記した方の筆記用紙の裏面からもう一方の筆記用紙へ墨等が移るおそれがなく、より確実に記帳部の表裏全体を筆記用に使用できるものとなる。
【発明の効果】
【００１８】
本発明の筆記帳は、上述したように、２枚の帯状の筆記用紙が蛇腹状に折り曲げられて重ね合わされた状態で、幅方向端部どうしを天糊により接着されてなる記帳部を備えたものであるから、その記帳部を形成する筆記用紙の折り曲げおよび重ね合わせを機械的に行うことにより効率よく製作できるし、各筆記用紙が圧縮された状態で天糊加工を受けることにより、製品となって開かれたときに圧縮時の形態に戻ろうとする力が生じ、きれいに折り畳むことができる。
【図面の簡単な説明】
【００１９】
【図１】実施形態の筆記帳を一部開いた状態の外観斜視図
【図２】図１のII−II線に沿った要部拡大断面図
【図３】図１の筆記帳の記帳部を形成する筆記用紙の折り曲げ工程の概略説明図
【図４】（ａ）、（ｂ）は、それぞれ図３の折り曲げ工程の途中の筆記用紙を表面側および裏面側から見た斜視図
【図５】図３の折り曲げ工程に続く重ね合わせ工程の概略説明図
【図６】図５の重ね合わせ工程における下流側給送装置付近の筆記用紙の縦断面図
【図７】図５の重ね合わせ工程に続く仕上げ断裁工程における切断位置の説明図
【図８】図７の仕上げ断裁工程に続く接着工程の説明図
【図９】図８のIX−IX線に沿った要部拡大断面図
【図１０】図８の接着工程後の筆記用紙を開いた状態を示す要部の斜視図
【発明を実施するための形態】
【００２０】
以下、図面に基づき、本発明の実施形態を説明する。この筆記帳は、神社や寺院で朱印を筆記してもらう朱印帳として使用されるものであり、図１に示すように、表表紙１と裏表紙２の間に、蛇腹状に形成され、墨や朱墨等の水性の液体で筆記される記帳部３を有している。その表表紙１および裏表紙２は、厚手の台紙や木製の板材の表面に意匠性のある紙を貼り付けたものが用いられる。一方、記帳部３は、蛇腹状に折り曲げられた２枚の帯状の筆記用紙４ａ、４ｂを重ね合わせて接着したもので、その長手方向両端部がそれぞれ表表紙１および裏表紙２の裏面に貼り付けられている。
【００２１】
前記記帳部３を形成する２枚の帯状の筆記用紙４ａ、４ｂは、筆記面となる表面が裏面よりも平滑性に優れる巻き取り和紙が用いられており、図１および図２に示すように、それぞれ長手方向に直交する方向の折目が所定間隔で生じるように蛇腹状に折り曲げられ、その筆記面（表面）を外側にして重ね合わされた状態で、幅方向端部（図１の上端部および下端部）どうしを天糊５により接着されている。
【００２２】
また、図示は省略するが、各筆記用紙４ａ、４ｂは、折目の位置にミシン目が設けられており、後述するように記帳部３を製作する際に、折り曲げやすく、かつ折り曲げ加工後の形状復元が抑えられるようになっている。
【００２３】
また、図２に示すように、各筆記用紙４ａ、４ｂは、両方の表面の幅方向両端部に撥水層６が形成されており、後述するように、記帳部３製作時に天糊加工を受けた各筆記用紙４ａ、４ｂの互いに対向する表面どうしがスムーズに引き剥がせるようになっている。また、両方の筆記用紙４ａ、４ｂの裏面のうち、幅方向両端部を除く全体に撥水層６’が形成されており、記帳部３に筆記する際に、筆記した方の筆記用紙の裏面からもう一方の筆記用紙へ墨等が移るおそれがなく、確実に記帳部３の表裏全体を筆記用に使用できるようになっている。ここで、各筆記用紙４ａ、４ｂの裏面の幅方向両端部に撥水層を形成していないのは、筆記用紙４ａ、４ｂの幅方向端部どうしを直接接触させて天糊５で確実に接着するためである。
【００２４】
次に、この筆記帳の記帳部３の製作方法について説明する。記帳部３の製作にあたっては、まず、巻き取り和紙からなる筆記用紙４ａ、４ｂを蛇腹状に折り曲げる。この折り曲げ工程は、図３に示すように、巻き取り機１１にロール状に巻かれている筆記用紙４ａ（４ｂ）を引き出して、その表裏面への撥水加工を行う第１加工部１２（表面加工部１２ａおよび裏面加工部１２ｂ）、幅方向両端部へのパンチ孔加工を行う第２加工部１３および幅方向のミシン目加工を行う第３加工部１４に通し、その後にスイング装置１５により蛇腹状に折り曲げて、所定長さ毎に折り畳んだ状態で工程間搬送用のケース１６に収容するものである。
【００２５】
ここで、筆記用紙４ａ（４ｂ）は、第３加工部１４を通過した時点で、図４（ａ）、（ｂ）に示すように、幅方向両端部に長手方向に並ぶパンチ孔７があけられ、長手方向に等間隔で幅方向のミシン目８が形成されている。また、表面には幅方向両側のパンチ孔７のそれぞれよりも幅方向内側に所定幅で撥水層６が形成され、裏面には表面の幅方向両側の撥水層６の形成位置よりも幅方向内側の全体に撥水層６’が形成されている。そして、スイング装置１５に送られると、自重と筆記用紙４ａ（４ｂ）を挟んだスイング装置１５の揺動とによって、ミシン目８の位置で蛇腹状に折り曲げられるようになっている。
【００２６】
図５は折り曲げ工程に続く重ね合わせ工程を示す。この重ね合わせ工程では、折り曲げ工程で蛇腹状に折り曲げられた筆記用紙４ａ、４ｂを、給送装置１７ａ、１７ｂによりケース１６から引き出し、それぞれの表面を外側にして（裏面どうしを対向させて）重ね合わせた後、折り曲げ工程と同様にスイング装置１５により蛇腹状に折り曲げて、折り畳んだ状態で別のケース１６に収容する。
【００２７】
ここで、各給送装置１７ａ、１７ｂは、図５および図６に示すように、筆記用紙４ａ、４ｂの幅方向両側のパンチ孔７に係合するスプロケット１８を回転させることにより、筆記用紙４ａ、４ｂをスイング装置１５へ送り出すものである。そして、下流側の給送装置１７ｂでは、スプロケット１８が２枚の筆記用紙４ａ、４ｂのパンチ孔７に同時に係合するので、両方の筆記用紙４ａ、４ｂのミシン目８の位置（折り曲げ位置）を精度よく一致させることができる。これにより、重ね合わされた状態でスイング装置１５に送られた筆記用紙４ａ、４ｂが、ばらけることなくスムーズに蛇腹状に折り曲げられる。
【００２８】
このように重ね合わされて蛇腹状に折り曲げられた筆記用紙４ａ、４ｂは、重ね合わせ工程に続く仕上げ断裁工程において、折り畳まれた状態のまま、図７に二点鎖線で示す切断位置で切断されることにより、パンチ孔７のあけられた幅方向両端部が切り捨てられて、幅方向長さが所定寸法となり、表面側の撥水層６が幅方向両端部に位置するように仕上げられる。
【００２９】
図８および図９は仕上げ断裁工程に続く接着工程を示す。この接着工程では、折り畳まれた状態で所定寸法に断裁された筆記用紙４ａ、４ｂを、上下から直方体状のブロック体１９ａ、１９ｂで挟んで折り畳み方向に圧縮し、この状態で幅方向端面（仕上げ断裁工程での切断面）に天糊５を塗布して乾燥させる。このとき、天糊５が各筆記用紙４ａ、４ｂの表面側へある程度入り込んだとしても、天糊５の筆記用紙４ａ、４ｂ自体の表面への浸透は各筆記用紙４ａ、４ｂの表面側の撥水層６によって阻止され、天糊５と撥水層６との結合力も小さいので、各筆記用紙４ａ、４ｂの互いに対向する表面どうしが強く面接着されることはない。
【００３０】
そして、接着工程後に、上下のブロック体１９ａ、１９ｂの間から取り出した筆記用紙４ａ、４ｂをゆっくりと開く（長手方向に引っ張る）。すると、接着工程では各筆記用紙４ａ、４ｂの互いに対向する表面どうしが強く面接着されていないので、図１０に示すように、両方の筆記用紙４ａ、４ｂの裏面どうしが接着されたまま、各筆記用紙４ａ、４ｂの互いに対向する表面どうしがスムーズに引き剥がされて、二重構造で蛇腹状の記帳部３ができあがる。
【００３１】
この筆記帳は、上記の構成であり、記帳部３を形成する筆記用紙４ａ、４ｂの折り曲げおよび重ね合わせが機械的に行われるので、従来の手作業よりも効率よく記帳部３を製作することができる。また、その記帳部３は、製作時に各筆記用紙４ａ、４ｂが折目の位置にミシン目８が設けられて、折り曲げ加工後の形状復元が抑えられるうえ、折り曲げられて重ね合わされた後に圧縮された状態で天糊加工を受けて乾燥するまで保持されるので、製品となって開かれたときには圧縮時の形態に戻ろうとする力が生じて、きれいに折り畳むことができる。
【００３２】
なお、各筆記用紙４ａ、４ｂのミシン目８は、実施形態のように設けた方が記帳部３が折り畳みやすくなって好ましいが、省略して記帳部の製作工程の簡略化を図ることもできる。
【００３３】
また、各筆記用紙４ａ、４ｂの表面側の撥水層６は天糊５の筆記用紙４ａ、４ｂ自体の表面への浸透を阻止するものであり、裏面側の撥水層６’は両筆記用紙４ａ、４ｂの間で墨等が移るのを防止するためのものであるから、それぞれ同じ作用を生じるインキ層に代えることもできる。なお、表面側の撥水層６（またはインキ層）を省略すれば、筆記用紙４ａ、４ｂの表面が幅方向端まで筆記可能となる。一方、裏面側の撥水層６’（またはインキ層）は、２枚の筆記用紙４ａ、４ｂのいずれか一方のみに形成するようにしてもよいし、筆記用紙４ａ、４ｂの厚み等によって、墨等の裏面への染み出しが少ない場合には省略することもできる。
【００３４】
そして、本発明は、実施形態の朱印帳ように、記帳部の筆記用紙として表面が裏面よりも平滑性に優れる和紙を用い、墨等で筆記される筆記帳に対して、特に効果的に適用することができるが、他の種類の筆記用紙を用いた筆記帳や、水性の液体以外のインク等で筆記される筆記帳への適用も可能である。
【符号の説明】
【００３５】
１  表表紙
２  裏表紙
３  記帳部
４ａ、４ｂ  筆記用紙
５  天糊
６、６’  撥水層
７  パンチ孔
８  ミシン目
【図１】
2019111679.tif 000003
【図２】
2019111679.tif 000004
【図３】
2019111679.tif 000005
【図４】
2019111679.tif 000006
【図５】
2019111679.tif 000007
【図６】
2019111679.tif 000008
【図７】
2019111679.tif 000009
【図８】
2019111679.tif 000010
【図９】
2019111679.tif 000011
【図１０】
2019111679.tif 000012